(57)【要約】【課題】太陽電池の受光面積を拡大でき、発電効率の向上を図ることができる携帯用充電器を提供することにある。【解決手段】携帯情報機器の外部端子に着脱可能に接続される接続端子１６を備えた充電器本体１１に収納され接続端子１６と電気的に接続される充電用電池１５と、充電器本体１１にヒンジ機構２４ａ〜２４ｃを介して枢支され、回動することにより充電器本体１１の平面に重ねて格納される第１の使用形態と充電器本体１１の外側に展開される第２の使用形態に切り換えられる複数枚の展開パネル２５ａ〜２５ｃと、展開パネル２５ａ〜２５ｃが第２の使用形態のときに、露出される充電器本体１１の平面及び複数枚の展開パネル２５ａ〜２５ｃの平面に設けられ、充電用電池１５に電気的に接続される複数枚の太陽電池２８と、ヒンジ機構２４ａ〜２４ｃに設けられ、複数枚の展開パネル２５ａ〜２５ｃを充電器本体１１から外側に展開する方向に付勢する捩りばね２９とを具備したことを特徴とする。【選択図】図１
2006311680.tif 000002
【特許請求の範囲】
【請求項１】
携帯情報機器の外部端子に着脱可能に接続される接続端子を備えた充電器本体と、
前記充電器本体に収納され前記接続端子と電気的に接続される充電用電池と、
前記充電器本体の周側縁部にヒンジ機構を介して枢支され、該ヒンジ機構を支点として回動することにより前記充電器本体の平面に重ねて格納される第１の使用形態と前記充電器本体の側縁部から外側に展開される第２の使用形態に切り換えられる複数枚の展開パネルと、
前記複数枚の展開パネルが前記第２の使用形態のときに、露出される前記充電器本体の平面及び前記複数枚の展開パネルの平面に設けられ、前記充電用電池に電気的に接続される複数枚の太陽電池と、
前記ヒンジ機構に設けられ、前記複数枚の展開パネルを前記充電器本体の側縁部から外側に展開する方向に付勢する付勢機構と、
を具備したことを特徴とする携帯用充電器。
【請求項２】
前記充電器本体は、前記付勢機構の付勢力に抗して前記展開パネルを前記第１の使用形態にロックするロック機構を備えていることを特徴とする請求項１記載の携帯用充電器。
【請求項３】
前記充電器本体は、前記接続端子を前記充電器本体から突没させる突没ガイド機構と、接続端子の突没と連動するとともに、前記付勢機構の付勢力に抗して前記展開パネルを前記第１の使用形態にロックするロック機構とを備え、このロック機構のロックを解除したとき、前記展開パネルを前記第２の使用形態にするとともに、前記突没ガイド機構は前記接続端子が前記携帯情報機器の外部端子に接続可能に前記充電器本体から突出させることを特徴とする請求項１記載の携帯用充電器。
【発明の詳細な説明】
【技術分野】
【０００１】
この発明は、例えば、携帯電話器、携帯ゲーム機器等の携帯情報機器やデジタルカメラに搭載された充電可能な電池に充電するための携帯用充電器に関する。
【背景技術】
【０００２】
携帯電話器、携帯ゲーム機器及びスケジュール管理、アドレス帳、メモ機能、メール機能等を有した携帯情報機器が普及している。これらの機器本体には充電可能な二次電池が搭載され、二次電池が消耗した際には、ＡＣ電源に接続する専用の充電器を用いて充電している。
【０００３】
しかしながら、電圧、周波数等の関係で充電器をそのまま使用できない地域、国もあり、アダプタを使用して充電したり、乾電池を補助電源として機器本体に接続して使用しているが、いずれも煩雑であるとともに、携帯に不便である。
【０００４】
そこで、蓄電池を主電源とし、太陽電池を補助電源とした携帯用無線機において、無線機本体から太陽電池を開き出しもしくは引き出して太陽電池の露出する面を拡大した技術が知られている（例えば、特許文献１参照。）。
【特許文献１】実開昭５７−１４３７４４号公報
【発明の開示】
【発明が解決しようとする課題】
【０００５】
前記特許文献１は、無線機自体に太陽電池を搭載したものである。無線機は携帯に便利なように小型で、手で持ち易いように構成されている。従って、無線機本体から太陽電池を開き出しもしくは引き出して太陽電池の受光面の露出する面を拡大しても限度があり、また無線機本体から太陽電池を手動で開き出すもしくは引き出す構造であり、操作が煩わしいという欠点がある。
【０００６】
この発明は、前記事情に着目してなされたもので、その目的とするところは、太陽電池の受光面積を拡大でき、発電効率の向上を図ることができるとともに、太陽電池を備えた展開パネルをワンタッチで展開でき、操作性に優れた携帯用充電器を提供することにある。
【課題を解決するための手段】
【０００７】
この発明は、前記の目的を達成するために、請求項１は、携帯情報機器の外部端子に着脱可能に接続される接続端子を備えた充電器本体と、前記充電器本体に収納され前記接続端子と電気的に接続される充電用電池と、前記充電器本体の側縁部にヒンジ機構を介して枢支され、該ヒンジ機構を支点として回動することにより前記充電器本体の平面に重ねて格納される第１の使用形態と前記充電器本体の側縁部から外側に展開される第２の使用形態に切り換えられる複数枚の展開パネルと、前記複数枚の展開パネルが前記第２の使用形態のときに、露出される前記充電器本体の平面及び前記複数枚の展開パネルの平面に設けられ、前記充電用電池に電気的に接続される複数枚の太陽電池と、前記ヒンジ機構に設けられ、前記複数枚の展開パネルを前記充電器本体の周側縁部から外側に展開する方向に付勢する付勢機構と、を具備したことを特徴とする携帯用充電器にある。
【０００８】
請求項２は、請求項１の前記充電器本体は、前記付勢機構の付勢力に抗して前記展開パネルを前記第１の使用形態にロックするロック機構を備えていることを特徴とする。
【０００９】
請求項３は、請求項１の前記充電器本体は、前記接続端子を前記充電器本体から突没させる突没ガイド機構と、前記接続端子の突没と連動するとともに、前記付勢機構の付勢力に抗して前記展開パネルを前記第１の使用形態にロックするロック機構とを備え、このロック機構のロックを解除したとき、前記展開パネルを前記第２の使用形態にするとともに、前記突没ガイド機構は前記接続端子が前記携帯情報機器の外部端子に接続可能に前記充電器本体から突出させることを特徴とする。
【発明の効果】
【００１０】
この発明によれば、器体が小型で、携帯に便利であるとともに、充電器本体の平面及び複数枚の展開パネルに太陽電池を設けることにより、受光面積を拡大でき、発電効率の向上を図ることができる。また、付勢機構によって太陽電池を備えた展開パネルをワンタッチで展開でき、操作性に優れた携帯用充電器を提供できる。
【発明を実施するための最良の形態】
【００１１】
以下、この発明の実施の形態を図面に基づいて説明する。
【００１２】
図１〜図３は第１の実施形態を示す。図１は携帯用充電器を示し、（ａ）は展開パネルを格納した状態の斜視図、（ｂ）は展開パネルを展開した状態の斜視図、図２（ａ）は図１のＡ−Ａ線に沿う断面図、（ｂ）は図１のＢ−Ｂ線に沿う断面図、図３はヒンジ機構を示し、（ａ）は平面図、（ｂ）はＣ−Ｃ線に沿う断面図である。
【００１３】
図１〜図３に示す携帯用充電器は、携帯電話器、携帯ゲーム機器等の携帯情報機器に搭載された充電可能な電池に充電するための機器であって、充電器本体１１は扁平な矩形箱状に形成されている。充電器本体１１の内部には上部に開口部１２を有するパネル格納室１３が設けられ、パネル格納室１３の一端部には仕切り板１３ａを介して電池室１４が設けられている。
【００１４】
電池室１４には蓄電可能な充電用電池１５が収納されている。充電用電池１５の上部には携帯情報機器の外部端子に着脱可能に接続される接続端子１６を有する端子台１７が設けられている。この端子台１７の先端面と対向する充電器本体１１の側壁には端子台１７が突没自在な貫通穴１８が設けられている。端子台１７は突没ガイド機構としてのガイド部材１９によってスライド自在に支持され、端子台１７にはロック機構を構成するロック部材２０が固定されている。
【００１５】
ロック部材２０は略Ｌ字状に折曲されており、上部のロック爪２１は電池室１４を構成する上面板２２に設けられたガイド穴２３を介して上部に突出して設けられている。すなわち、ロック部材２０をガイド穴２３に沿ってスライドさせることにより、端子台１７が貫通穴１８から突没し、同時にロック爪２１が充電器本体１１の開口部１２の開口縁から突没するようになっている。
【００１６】
充電器本体１１の開口部１２で、電池室１４と反対側の端縁部１１ａ及び開口部１１２の左右側縁部１１ｂ，１１ｃにはヒンジ機構２４ａ〜２４ｃを介してそれぞれ複数枚の展開パネル２５ａ〜２５ｃが設けられている。展開パネル２５ａ〜２５ｃは薄板で、充電器本体１１のパネル格納室１３に平面的に収納可能な大きさに形成されている。
【００１７】
前記ヒンジ機構２４ａ〜２４ｃ及び複数枚の展開パネル２５ａ〜２５ｃは同一構造であるため、その一つ（左側縁部１１ｃのヒンジ機構２４ｃ及び展開パネル２５ｃ）について説明する。すなわち、充電器本体１１の左側縁部１１ｃの長手方向の両端部には枢支穴２６ａを有する本体側枢支軸２６が設けられている。展開パネル２５ｃの長手方向の中央部には両端部に枢支ピン２７ａを有するパネル側枢支軸２７が設けられている。
【００１８】
そして、パネル側枢支軸２７の枢支ピン２７ａは本体側枢支軸２６の枢支穴２６ａに回動自在に枢支されている。従って、展開パネル２５ｃは枢支ピン２７ａを支点として回動自在であり、展開パネル２５ｃを内側に回動すると、展開パネル２５ｃがパネル格納室１３に格納（第１の使用形態）され、展開パネル２５ｃを外側に回動すると、展開パネル２５ｃが反転して充電器本体１１の外側に展開（第２の使用形態）される。
【００１９】
さらに、展開パネル２５ｃの内面、つまり、充電器本体１１から外側に展開して第２の使用形態に切り換えたときに、上面となる面には薄膜からなる太陽電池２８が設けられている。また、パネル格納室１３の内底面にも薄膜からなる太陽電池２８が設けられている。これら太陽電池２８は充電用電池１５に電気的に接続され、充電用電池１５は接続端子１６に電気的に接続されている。
【００２０】
さらに、ヒンジ機構２４ｃの本体側枢支軸２６とパネル側枢支軸２７との間の枢支ピン２７ａには付勢機構として捩りばね２９が巻装されている。捩りばね２９の一端部は本体側枢支軸２６側に係止され、他端側はパネル側枢支軸２７側に係止され、捩りばね２９の弾性によって展開パネル２５ｃを充電器本体１１の外側に展開させる方向に付勢している。
【００２１】
複数枚の展開パネル２５ａ〜２５ｃは充電器本体１１のパネル格納室１３に、展開パネル２５ａ，２５ｂ，２５ｃの順に平面的に重ねて格納されるように構成されているため、ヒンジ機構２４ａ〜２４ｃは充電器本体１１の側縁部に段差を持って取り付けられている。すなわち、充電器本体１１の側縁部の低い位置から高い位置にヒンジ機構２４ａ，２４ｂ、２４ｃの順に設けられ、展開パネル２５ａ〜２５ｃが互いに干渉することなく充電器本体１１のパネル格納室１３に格納できるようになっている。
【００２２】
そして、充電器本体１１のパネル格納室１３に格納されたときに最も上段に位置する展開パネル２５ｃは充電器本体１１の開口部１２を閉塞する蓋体としての役目をしており、この展開パネル２５ｃの上縁部には前記ロック爪２１が係止（ロック）して展開パネル２５ｃが不用意に展開されるのを防止している。
【００２３】
次に、前述のように構成された携帯用充電器の作用について説明する。
【００２４】
携帯用充電器の不使用時においては、図１（ａ）に示すように、複数枚の展開パネル２５ａ〜２５ｃは充電器本体１１のパネル格納室１３に格納され、最も上段に位置する展開パネル２５ｃの上縁部にはロック爪２１が係止している。従って、展開パネル２５ｃが不用意に展開されることはない。また端子台１７はロック部材２０のスライドによって充電器本体１１の側壁の貫通穴１８から没入しており、携帯用充電器の携帯時に端子台１７が他の部材と干渉することはなく、接続端子１６の破損を未然に防止できる。
【００２５】
また、充電器本体１１内の充電用電池１５に充電する際には、ロック部材２０をガイド穴２３に沿って矢印ａ方向にスライドさせると、端子台１７は充電器本体１１の側壁の貫通穴１８から突出する。同時に、ロック部材２０の矢印ａ方向のスライドによってロック爪２１が最も上段に位置する展開パネル２５ｃの上縁部とのロックが解除される。
【００２６】
従って、最も上段に位置する展開パネル２５ｃは捩りばね２９の付勢力によって枢
支ピン２７ａを支点として自動的に回動し、パネル格納室１３から充電器本体１１の外側に展開されて太陽電池２８が露出する。次に、二段目に位置する展開パネル２５ｂも捩りばね２９の付勢力によって枢支ピン２７ａを支点として自動的に回動し、パネル格納室１３から充電器本体１１の外側に展開されて太陽電池２８が露出する。最後に、最下段に位置する展開パネル２５ａも捩りばね２９の付勢力によって枢支ピン２７ａを支点として自動的に回動し、パネル格納室１３から充電器本体１１の外側に展開されて太陽電池２８が露出する。
【００２７】
従って、図１（ｂ）に示すように、全ての展開パネル２５ａ〜２５ｃが展開されると、展開パネル２５ａ〜２５ｃに設けられた太陽電池２８が露出するとともに、パネル格納室１３の内底面に設けられた太陽電池２８も露出する。各太陽電池２８は受光可能な状態となり、太陽エネルギーが電気エネルギーに変換され、各太陽電池２８から充電用電池１５に充電電流が流れて充電用電池１５に充電される。
【００２８】
また、携帯用充電器を携帯電話器、携帯ゲーム機器等の携帯情報機器やデジタルカメラに搭載された二次電池に充電する際には、これらの機器の外部端子を充電器本体１１の接続端子１６に接続することにより、充電用電池１５によって機器に搭載された充電可能な二次電池に充電することができる。
【００２９】
図４は第２の実施形態を示し、第１の実施形態と同一構成部分は同一番号を付して説明を省略する。本実施形態は、複数枚の薄板からなる展開パネル３０ａ〜３０ｄが蛇腹（ジグザグ）状に連接されている。連接された展開パネル３０ａ〜３０ｄの一端部は充電器本体１１の側縁部のヒンジ機構３１に連結され、他端部は自由端に形成されている。展開パネル３０ａ〜３０ｄの片面には太陽電池３２が設けられている。
【００３０】
ヒンジ機構３１には、第１の実施形態と同様に、付勢機構として捩りばね（図示しない）が巻装されている。捩りばねの弾性によって展開パネル３０ａ〜３０ｄを充電器本体１１の外側に展開させる方向に付勢している。
【００３１】
各展開パネル３０ａ〜３０ｄの連接部は枢支軸３３によって回動自在に連接され、展開パネル３０ａ〜３０ｄを折り畳んでパネル格納室１３に格納できるようになっている。なお、枢支軸３３には必ずしも捩りばねを設けて平面的に展開させる方向に付勢する必要はなく、図４に示すように広角度に屈曲した状態で太陽電池３２が太陽エネルギーを受光するようにしてもよい。
【００３２】
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００３３】
【図１】この発明の第１の実施形態に係る携帯用充電器を示し、（ａ）は展開パネルを格納した状態の斜視図、（ｂ）は展開パネルを展開した状態の斜視図。
【図２】同実施形態を示し、（ａ）は図１のＡ−Ａ線に沿う断面図、（ｂ）は図１のＢ−Ｂ線に沿う断面図。
【図３】同実施形態のヒンジ機構を示し、（ａ）は平面図、（ｂ）は（ａ）のＣ−Ｃ線に沿う断面図。
【図４】この発明の第２の実施形態に係る携帯用充電器を示し、展開パネルを展開した状態の斜視図。
【符号の説明】
【００３４】
１１…充電器本体、１２…開口部、１３…パネル格納室、１５…充電用電池、１６…接続端子、２０…ロック部材（ロック機構）、２４ａ〜２４ｃ…ヒンジ機構、２５ａ〜２５ｃ…展開パネル、２８…太陽電池、２９…捩りばね（付勢機構）
【図１】
2006311680.tif 000003
【図２】
2006311680.tif 000004
【図３】
2006311680.tif 000005
【図４】
2006311680.tif 000006